(57)【要約】【課題】  任意の異なる形状の付箋紙束を同時に収納することができ、保管や持ち運びに便利で、付箋紙を傷めることなく最後の一枚まで容易に取り出し可能な付箋紙収納器を提供する。【解決手段】  後壁及びそこから繋がる左右の三角形状の側壁を形成し、上面を開口とした付箋紙収納器（１）本体を形成する。そしてこの底面（２）に突起部（３）や段差（９）等を設ける。またさらには二つの付箋紙収納部（２１）（２２）が、結合部（２３）を支点として開閉し、閉じたときには箱状等の形状になるように構成されことを特徴とする付箋紙収納器。【選択図】  図７
2006273421.tif 000002
【特許請求の範囲】
【請求項１】
付箋紙収納部底面に突起部または段差等を設けたことを特徴とする付箋紙収納器である。
【請求項２】
請求項１において、二つの付箋紙収納部が、結合部を支点として開閉することを特徴とする付箋紙収納器である。
【発明の詳細な説明】
【技術分野】
【０００１】  本発明は、付箋紙の収納器に関するものである。
【背景技術】
【０００２】  従来は、付箋紙の裏面粘着部を交互に重ね合わせ、収納容器上部の隙間から一枚ずつ引き出すポップアップタイプの付箋紙収納容器があった（特許文献１）。また、収納容器に束状の付箋紙を入れ取り出すものがあった（特許文献２）。
【特許文献１】特開平８−１９２８７６
【特許文献２】実開平７−２３５６５
【発明の開示】
【発明が解決しようとする課題】
【０００３】  これら従来技術に係るものには次のような問題点があった。
上記のポップアップタイプの付箋紙収納容器においては、あらかじめ付箋紙の粘着部を交互に重ね合わせてあるもの以外は使用できず、通常市販されている付箋紙束の片側一方に粘着部を有するタイプのものや、任意の形状やサイズの付箋紙は適合せず使用できなかった。【０００４】  特許文献２では付箋紙収納容器内に空きスペースを設けなければならず、また付箋紙束を固定する為に容器内底に接着テープを使用するなどの構成上のムダが見られる。またこの構成では、容器内底に近い付箋紙の最後の数枚が非常に取り出しにくかった。【０００５】  付箋紙を使う場合、使用者の意図や目的に応じて複数の形状や色を同時に使い分けて使用することが多い。しかしこれまでは任意の異なる形状の付箋紙束を、同時に収納できるものは無かった。また使用時や保管時、持ち運びの時に付箋紙束がバラバラになったり、汚れたり、折れたり、時には紛失したりすることがあり、最後の一枚まできれいに使い切ることが困難であった。【０００６】  従来の付箋紙収納容器においては使い捨てのものが多く、環境問題への配慮に欠けていた。【０００７】  本発明は、これらの問題点を解決する為に成されたものである。
【課題を解決するための手段】
【０００８】  後壁及びそこから繋がる左右の三角状の側壁を形成し、上面を開口とした付箋紙収納器（１）本体を形成する。そしてこの底面（２）に突起部（３）や段差（９）等を設けたことを特徴とする（請求項１記載）。【０００９】  二つの付箋紙収納部が、結合部（２３）を支点として開閉し、閉じたときには箱状等の形状になるように構成されことを特徴とする（請求項２記載）。
【発明の効果】
【００１０】  ひとつの付箋紙収納器に任意の異なる形状の付箋紙束が複数種類収納でき、他の付箋紙との交換や補充も容易で、保管や持ち運びに便利で、付箋紙を傷めることがなく、最後の一枚まで容易に取り出すことができる。また付箋紙を補充、交換すれば、容器は繰り返し使えるので環境にやさしい。
【発明を実施するための最良の形態】
【００１１】  以下、本発明の実施の形態を図に基づいて説明する。
図１は本発明の請求項１の実施の形態に係り、その基本的構成を示す外観斜視図である。
図１に示すように、付箋紙収納器（１）は、この底面（２）に突起部（３）を設け、一方の端には付箋紙のストッパーとしての後壁（４）を設け、これを挟んで側壁（５）を設けている。【００１２】  以下、その使用方法を説明する。
図２、図３は付箋紙収納器（１）に複数の付箋紙束（６）を装着した実施例を示し、図２はその外観斜視図、図３は断面図である。
付箋紙束（６）は、粘着部（７）を付箋紙収納器底面（２）に押し当てて密着させることにより固定される。このとき粘着材による付箋紙どうしの結合力よりも、付箋紙粘着部（７）と付箋紙収納器底面（２）との結合力を強くするために、付箋紙収納器底面（２）を滑らかにしたり、あるいは結合力の強い素材を用いることが好ましい。これにより付箋紙束（６）を付箋紙収納器底面（２）に固定したまま、付箋紙を一枚ずつ剥がすことが可能となる。また後壁（４）は、複数の付箋紙束の端を揃えて収納することや、付箋紙の保護に有効である。また使用方法によっては省略することもできる。【００１３】  図３に示したように、突起部（３）は、付箋紙束（６）の一方の端を押し上げる。この作用により付箋紙束（６）は、付箋紙収納器底面（２）との間に隙間（８）を形成する。この隙間（８）に指先や爪を入れることができるので、付箋紙の最後の一枚まで容易に摘んで剥がすことが可能となる。なお突起部（３）の形状は、図に示した限りではなく、ドット状の突起を連続的に設けたり、跳ね上げ板状の形にするなど様々な形状が応用できる。また隙間（８）を形成する為の方法もこれに限らず、例えば図４に示すように、付箋紙収納器底面（２）に段差（９）を設けるなど、他にも方法が考えられる（請求項１記載）。【００１４】  図５は、図３に示した点線部分の拡大図である。
突起部（３）により付箋紙束（６）の一方が押し上げられることで、重なり合った付箋紙の一枚一枚に僅かなズレ（１０）が生じる。同時に付箋紙束上部の角（１２）は、全体として角度が９０度よりも鋭角となる。この作用により、指で付箋紙を剥がそうとするときに、容易に最上部の一枚だけをめくり、剥がし取ることが可能となる。【００１５】  図６は多層階に形成された箱状容器（１２）と複数の付箋紙収納器（１）とを組み合わせた実施例を示す断面図である。
付箋紙収納器（１）にツマミ（１３）を設け、箱状容器（１２）の各層に引き出し状に収納することで、それぞれの付箋紙収納器（１）をスライドさせて出し入れすることが可能となる。また階層の数を増減させることで付箋紙の種類の数や収納量を調整することが可能となる。【００１６】  図７は本発明の請求項２の実施の形態を示す外観斜視図である。
図７に示すように、付箋紙収納部ａ（２１）と付箋紙収納部ｂ（２２）を結合部（２３）により接続する。また付箋紙収納部ａ（２１）、ｂ（２２）にはそれぞれに突起部（３）を設ける。結合部（２３）は素材やデザインによって、ヒンジ方式の蝶番、テープ類、一体成形方式など様々な方法を使い分けることができる。【００１７】  図７、図８の関係に示すように付箋紙収納部ａ（２１）と付箋紙収納部ｂ（２２）とは、結合部（２３）を支点として閉じたときに、付箋紙収納部ａ（２１）の縁部ａ（２４）と付箋紙収納部ｂ（２２）の縁部ｂ（２５）とがお互い合致し、全体として箱状となるように成形する。また好適には付箋紙収納部ａ（２１）と付箋紙収納部ｂ（２２）とが、同一形状を成し、かつ支点を介して閉じたときに双方の縁部ａ（２４）縁部ｂ（２５）が合致して、箱状となるよう形成する。また縁部ａ（２４）縁部ｂ（２５）の形状はこの限りではないが、Ｓ字状にすることで、外圧の作用による歪みに対して強度を保つ効果がある。【００１８】  図９は上記付箋紙収納器に複数の形状の付箋紙束（６）を装着した実施例である。
図１０は図９の付箋紙収納器を閉じたときの断面図である。なお付箋紙収納器の全体としての形状は図に示した限りではなく、いずれかの面を曲面にしたり、角にアールを持たせるなど、その形状は多様である。
【図面の簡単な説明】
【００１９】
【図１】本発明の請求項１に係る実施例を示した斜視図。
【図２】図１の付箋紙収納器に付箋紙を装着した斜視図。
【図３】図２の一部断面図。
【図４】付箋紙収納部底面に段差を設けた実施例を示す断面図。
【図５】図３の点線部分の拡大図。
【図６】本発明の他の実施例を示す断面図。
【図７】本発明の請求項２に係る実施例を示した斜視図。
【図８】図７の付箋紙収納器を閉じたときの斜視図。
【図９】図７の付箋紙収納器に付箋紙を装着した斜視図。
【図１０】図９の付箋紙収納器を閉じたときの一部断面図。
【符号の説明】
【００２０】１付箋紙収納器
２底面
３突起部
４後壁
５側壁
６付箋紙束
７粘着部
８隙間
９段差
１０ズレ
１１付箋紙束上部の角
１２箱状容器
１３ツマミ
２１付箋紙収納部ａ
２２付箋紙収納部ｂ
２３結合部
２４縁部ａ
２５縁部ｂ
【図１】
2006273421.tif 000003
【図２】
2006273421.tif 000004
【図３】
2006273421.tif 000005
【図４】
2006273421.tif 000006
【図５】
2006273421.tif 000007
【図６】
2006273421.tif 000008
【図７】
2006273421.tif 000009
【図８】
2006273421.tif 000010
【図９】
2006273421.tif 000011
【図１０】
2006273421.tif 000012